(57)【特許請求の範囲】
【請求項１】
柄と、
前記柄の一端に導体によって形成された一対のローラと、
生成された電力が前記ローラに通電される太陽電池と、を備え、
前記ローラの回転軸が、前記柄の長軸方向の中心線とそれぞれ鋭角に設けられ、
前記一対のローラの回転軸のなす角が鈍角に設けられた、
美肌ローラ。
【請求項２】
導体によって形成された一対のローラと、
前記一対のローラを支持する把持部と、
生成された電力が前記ローラに通電される太陽電池と、を備え、
前記ローラの回転軸が、前記把持部の中心線とそれぞれ鋭角に設けられ、
前記一対のローラの回転軸のなす角が鈍角に設けられた、
美肌ローラ。
【請求項３】
前記ローラが金属によって形成されていることを特徴とする、請求項１又は２に記載の美肌ローラ。
【請求項４】
前記ローラが金属の酸化物によって形成されていることを特徴とする、請求項１乃至３のいずれか１項に記載の美肌ローラ。
【請求項５】
前記金属が、
プラチナ、チタン、ゲルマニウム、ステンレス
から１種類以上選ばれることを特徴とする、請求項３又は請求項４に記載の美肌ローラ。
【請求項６】
前記ローラが光触媒を含むことを特徴とする、請求項１乃至５のいずれか１項に記載の美肌ローラ。
【請求項７】
前記光触媒が酸化チタンであることを特徴とする、請求項６に記載の美肌ローラ。
【発明の詳細な説明】
【技術分野】
【０００１】
本発明は、肌に押し付けてころがすことにより毛穴の中の汚れを押し出す美肌ローラに関する。
【背景技術】
【０００２】
毛穴の中には皮脂のほか、汚れがたまりやすい。従来より毛穴の中の汚れを落とすための洗顔料や洗浄剤が開発されてきた。しかし、洗顔料や洗浄剤だけでは、毛穴の奥にたまった汚れまでは取り出すことはできないという問題点があった。
【０００３】
この点に関し、特許文献１には、複数の円盤を、角度をつけてローラに取り付けた美肌ローラが提案されている。
【０００４】
しかし、特許文献１に記載の美肌ローラは、毛穴を開くだけ又は毛穴を閉じるだけのいずれかの作用しかせず、効率よく毛穴の汚れを取り除けないという問題点があった。
【特許文献１】特開２００６−２０４４６９号公報
【発明の開示】
【発明が解決しようとする課題】
【０００５】
本発明は上記のような問題点に鑑みてなされたものであり、効率よく毛穴の汚れを除去できる美肌ローラを提供することを目的とする。
【課題を解決するための手段】
【０００６】
この目的を達成するために請求項１に係る発明は、柄と、前記柄の一端に導体によって形成された一対のローラと、生成された電力が前記ローラに通電される太陽電池と、を備え、前記ローラの回転軸が、前記柄の長軸方向の中心線とそれぞれ鋭角に設けられ、前記一対のローラの回転軸のなす角が鈍角に設けられた、美肌ローラであることを特徴とする。
また、請求項２に係る発明は、導体によって形成された一対のローラと、前記一対のローラを支持する把持部と、生成された電力が前記ローラに通電される太陽電池と、を備え、前記ローラの回転軸が、前記把持部の中心線とそれぞれ鋭角に設けられ、前記一対のローラの回転軸のなす角が鈍角に設けられた、美肌ローラであることを特徴とする。
【０００７】
請求項３に係る発明は、前記ローラが金属によって形成されていることを特徴とする。
請求項４に係る発明は、前記ローラが金属の酸化物によって形成されていることを特徴とする。
請求項５に係る発明は、前記金属が、プラチナ、チタン、ゲルマニウム、ステンレスから１種類以上選ばれることを特徴とする。
請求項６に係る発明は、前記ローラが光触媒を含むことを特徴とする。
請求項７に係る発明は、前記光触媒が酸化チタンであることを特徴とする。
【発明の効果】
【０００８】
本発明の美肌ローラによれば、毛穴の汚れを効率的に除去できるという効果がある。
【発明を実施するための最良の形態】
【０００９】
以下、図面を参照して本発明の美肌ローラの一実施形態について説明する。
【００１０】
（第１の実施例）
図１は第１の実施形態の車両における美肌ローラを示す図である。また、図２は第１の実施形態の美肌ローラの側面図である。
【００１１】
図１及び図２に示すように、本実施形態の美肌ローラは、柄１０と、柄１０の一端に一対のローラ２０と、を備える。また、太陽電池３０を備えていてもよい。
【００１２】
図３は本実施形態の美肌ローラのローラ部分の拡大図である。図３に示すように、ローラ２０の回転軸φ１、φ２が、柄１０の長軸方向の中心線Ｘとそれぞれ鋭角θ１、θ２に設けられ、一対のローラ２０の回転軸φ１、φ２のなす角が鈍角θ０に設けられる。
【００１３】
ローラ２０は導体によって形成されることができる。ローラ２０は金属又は金属の酸化物によって形成されていてもよい。この金属はプラチナ、チタン、ゲルマニウム、ステンレスから１種類以上選ばれることが望ましい。ローラ２０は光触媒を含むことがさらに望ましい。この光触媒は、汚れを酸化して浮き上がらせる作用のあるものが特に望ましく、酸化チタンが最も望ましい。
【００１４】
太陽電池３０により生成した電流をローラ２０に通電するように構成することもできる。
【００１５】
次に、第１の実施例の作用を説明する。本実施形態の美肌ローラを肌に押し付け、図３に示す矢印Ａの方向に押す。このとき肌は両脇に引っ張られ、毛穴が開く。これにより、毛穴の奥の汚れが毛穴の開口部に向けて移動する。
【００１６】
さらに、本実施形態の美肌ローラを肌に押し付けたまま矢印Ｂの方向に引く。このとき、肌は一対のローラの間に挟み込まれ、毛穴は収縮する。これにより、毛穴の中の汚れが押し出される。
【００１７】
この押し引きを繰り返すことにより、毛穴の奥の汚れまで効率的に除去することが可能となる。
【００１８】
また、太陽電池３０により生成した電流をローラ２０に通電することにより、ローラ２０が帯電し、毛穴の汚れを引き出し、さらに美肌効果をもたらす。これは入浴中に実行するとさらに効果的である。
【００１９】
また、例えば酸化チタンのような光触媒をローラ２０が含む場合、蛍光灯の紫外線がこの光触媒に照射されると光触媒は酸化作用を発揮し、肌についた汚れを酸化して浮き上がらせる。このため、光触媒を含むローラ２０は美肌効果をより効率的に発揮する。
【００２０】
軽く押さえつけながらローラ２０を回転させれば、適度な圧でリンパに働きかけ、顔および全身のリフトアップマッサージができる。引けばつまみ上げ、押せば押し広げるという２パターンの作用により、こり固まったセルライト、脂肪を柔らかくもみほぐす。これにより、セルライト、脂肪を低減させることが可能となる。
【００２１】
以上述べたように、本実施形態の美肌ローラは一対のローラ２０を角度をつけて柄１０の一端に設けた。このため、ローラ２０を肌に押し付けて押し引きすることにより、効率的に毛穴の汚れを除去することが可能となるという効果がある。
【００２２】
（第２の実施形態）
図４は本実施形態の美肌ローラの立体の外観斜視図である。図５は本実施形態の美肌ローラの上面図である。図６は本実施形態の美肌ローラの側面図である。
【００２３】
図４乃至図６に示すように、本実施形態の美肌ローラは、一対のローラ４０と、一対のローラ４０を支持する把持部４１と、を備える。また、太陽電池４２を備えていてもよい。
【００２４】
図５に示すように、ローラ４０の回転軸φ１、φ２が、把持部４１の中心線Ｘとそれぞれ鋭角θ１、θ２に設けられ、一対のローラ４０の回転軸φ１、φ２のなす角が鈍角θ０に設けられる。
【００２５】
ローラ４０は導体によって形成されることができる。ローラ４０は金属又は金属の酸化物によって形成されていてもよい。この金属はプラチナ、チタン、ゲルマニウム、ステンレスから１種類以上選ばれることが望ましい。ローラ４０は光触媒を含むことがさらに望ましい。この光触媒は、汚れを酸化して浮き上がらせる作用のあるものが特に望ましく、酸化チタンが最も望ましい。
【００２６】
太陽電池４２により生成した電流をローラ４０に通電するように構成することもできる。
【００２７】
次に、第２の実施例の作用を説明する。本実施形態の美肌ローラを肌に押し付け、図３に示す矢印Ｃの方向に押す。このとき肌は両脇に引っ張られ、毛穴が開く。これにより、毛穴の奥の汚れが毛穴の開口部に向けて移動する。
【００２８】
さらに、本実施形態の美肌ローラを肌に押し付けたまま矢印Ｄの方向に引く。このとき、肌は一対のローラの間に挟み込まれ、毛穴は収縮する。これにより、毛穴の中の汚れが押し出される。
【００２９】
この押し引きを繰り返すことにより、毛穴の奥の汚れまで効率的に除去することが可能となる。
【００３０】
また、太陽電池４２により生成した電流をローラに通電することにより、ローラが帯電し、毛穴の汚れを引き出し、さらに美肌効果をもたらす。これは入浴中に実行するとさらに効果的である。
【００３１】
また、例えば酸化チタンのような光触媒をローラ４０が含む場合、蛍光灯の紫外線がこの光触媒に照射されると光触媒は酸化作用を発揮し、肌についた汚れを酸化して浮き上がらせる。このため、光触媒を含むローラ４０は美肌効果をより効率的に発揮する。
【００３２】
軽く押さえつけながらローラ４０を回転させれば、適度な圧でリンパに働きかけ、顔および全身のリフトアップマッサージができる。引けばつまみ上げ、押せば押し広げるという２パターンの作用により、こり固まったセルライト、脂肪を柔らかくもみほぐす。これにより、セルライト、脂肪を低減させることが可能となる。
【００３３】
以上述べたように、本実施形態の美肌ローラは一対のローラ４０を角度をつけて把持部４２に設けた。このため、美肌ローラを大きく構成することが可能となり、この場合ボディーの毛穴の汚れを効率的に除去することが可能となるという効果がある。
【産業上の利用可能性】
【００３４】
本発明の美肌ローラは、美肌のみならず、頭髪の毛穴の汚れの除去にも利用できる。
【図面の簡単な説明】
【００３５】
【図１】第１の実施形態の車両における美肌ローラを示す図である。
【図２】第１の実施形態の美肌ローラの側面図である。
【図３】第１の実施形態の美肌ローラのローラ部分の拡大図である。
【図４】第２の実施形態の美肌ローラの立体の外観斜視図である。
【図５】第２の実施形態の美肌ローラの上面図である。
【図６】第２の実施形態の美肌ローラの側面図である。
【符号の説明】
【００３６】
１０：柄、
２０、４０：ローラ、
３０、４２：太陽電池。
【図１】
0005230864.tif 000002
【図２】
0005230864.tif 000003
【図３】
0005230864.tif 000004
【図４】
0005230864.tif 000005
【図５】
0005230864.tif 000006
【図６】
0005230864.tif 000007